(57)【要約】  【課題】  １台以上の自動車に容易に適合させることが可能であり、従来技術の欠点を回避する、改善された且つ低コスト化の可能なランプアセンブリを提供することである。  【解決手段】  ランプアセンブリ１０のハウジング１８がレンズカバー２６を受ける前方部分２４を有し、レンズカバー２６の円周方向リム２８が、ハウジング１８の前方部分２４と係合する溝３６を有し、調節用タブ３０が調節用ネジ３４を受ける孔３７を有するランプアセンブリが提供される。レンズカバー２６が自由回転式とされることから、レンズカバー２６を中心軸線２０の周囲で取り付け用ブラケットと整列する任意の位置に移動させることができる。【選択図】  図１
2004359214.tif 000002
【特許請求の範囲】
【請求項１】
自動車のランプアセンブリ（１０）であって、
自動車に取り付ける形態の第１端部（１４）及びランプアセンブリ（１０）に固定する形態の第２端部（１６）を有する取り付け用ブラケット（１２）と、
中心軸線（２０）と、該中心軸線に関して取り付けた光源（２２）とを有し、前方部分（２４）を有する、ランプアセンブリ（１０）のためのハウジング（１８）と、
を含み、
前記ランプアセンブリ（１０）にはレンズカバー（２６）を設け、該レンズカバーが、ハウジング（１８）の前方部分（２４）と係合する形態の外側の円周方向リム（２８）と、該円周方向リムから伸延し、前記取り付け用ブラケット（１２）の前記第２端部（１６）と協動する形態の調節用タブ（３０）とを有し、前記レンズカバー（２６）が前記中心軸線（２０）の周囲を回転自在であるようにしたランプアセンブリ。
【請求項２】
レンズカバー（２６）が円形である請求項１のランプアセンブリ。
【請求項３】
レンズカバーが光学的に処理された部分を持たない請求項１のランプアセンブリ。
【請求項４】
ハウジング（１８）が、光学的処方を施した反射領域を確定する内壁（３２）を有する請求項１のランプアセンブリ。
【請求項５】
調節用タブ（３０）が、調節用ネジ（３４）により取り付け用ブラケット（１２）の第２端部（１６）と協動する請求項１のランプアセンブリ。
【発明の詳細な説明】
【技術分野】
【０００１】
本発明はランプアセンブリに関し、詳しくは、例えば、自動車用のフォグランプのような補助ランプアセンブリに関する。
【背景技術】
【０００２】
先に説明したフォグランプのような補助ランプアセンブリが自動車にしばしば設けられる。このランプアセンブリは自動車によってその大きさ、形、そして位置が様々である。例えば、セダンとトラックではこれらのランプアセンブリは通常は取り付け位置が非常に異なるためにうまく取り付けるのは大変である。従来のランプアセンブリにはハウジングに調節用タブ（あるいはランプ取り付けユニット）があり、この調節用タブを、自動車の取り付け用ブラケットに合う所定位置に位置決めする必要がある。米国特許第４，９０７，１３４号には、レンズカバー上に調節用タブあるいは取り付け用タブを設けることが議論されるが、ランプアセンブリが矩形のものである場合はこのランプアセンブリを車種別にカスタマイズしなければならない。
【０００３】
【特許文献１】米国特許第４，９０７，１３４号明細書
【発明の開示】
【発明が解決しようとする課題】
【０００４】
解決しようとする課題は、１台以上の自動車に容易に適合させることのできるランプアセンブリを提供することである。
解決しようとする他の課題は、従来技術の欠点を回避するランプアセンブリを提供することである。
解決しようとする他の課題は、自動車用の改善されたランプアセンブリを提供することである。
解決しようとする更に他の課題は、低コスト化の可能なランプアセンブリを提供することである。
【課題を解決するための手段】
【０００５】
本発明の１様相に従えば、自動車取り付け用の形態の第１端部と、ランプに固定する形態の第２端部とを有する取り付けブラケットを含む自動車のランプアセンブリが提供される。ランプアセンブリのハウジングには中心軸線と、この中心軸線に関して取り付けた光源とが含まれる。ランプ用のレンズカバーが設けられ、このレンズカバーの円周方向の外側にはハウジングの前方部分と係合するリムが形成され、このリムからは取り付けブラケットの前記第２端部と協動する調節用タブが伸延される。レンズカバーはハウジングの前方部分に固定する前は中心軸線を中心として自由に回転させることができる。
自由に回転するレンズカバーのリムに調節用タブを設けたことで、レンズカバーは中心軸線の回りで新規の且つ異なる位置へと回転自在であり、かくしてフレキシビリティが提供される。
【発明の効果】
【０００６】
本発明によれば、
１．１台以上の自動車に容易に適合させることのできるランプアセンブリが提供される。
２．従来技術の欠点を回避するランプアセンブリが提供される。
３．自動車用の改善されたランプアセンブリが提供される。
４．低コスト化の可能なランプアセンブリが提供される。
【発明を実施するための最良の形態】
【０００７】
図面を参照して本発明を詳しく説明するに、図１には自動車のランプアセンブリ１０のためのレンズカバー２６が示されている。レンズカバー２６は光学的に処理した部分を持たない円形のものであり、円周方向リム２８を有し、この円周方向リム２８から調節用タブ３０が突出されている。レンズカバー２６は中心軸線２０の回りで自由に回転するようになっている。
【０００８】
図２を参照するに、図１を線２−２で切断した断面図が示され、自動車に固定するための形態の第１端部１４と、自動車のランプアセンブリに固定するための形態の第２端部１６とを有する取り付け用ブラケット１２を含む自動車ランプアセンブリ１０が例示されている。第２端部１６はねじ溝付部分１７として形成することが好ましい。
【０００９】
ランプアセンブリ１０のハウジング１８は中心軸線２０を有し、光源、例えばハロゲン球がこの中心軸線２０と関連して、本実施例では同中心状態で取り付けられる。ハウジング１８の内壁３２には、光学的処理を施した反射領域を設けることができる。
【００１０】
ハウジング１８はレンズカバー２６を受けるための前方部分２４を有し、本発明の好ましい実施例では、このレンズカバー２６の円周方向リム２８にはハウジング１８の前方部分２４と係合する溝３６が設けられ、調節用タブ３０には調節用ネジ３４を受ける孔３７（図１）が設けられる。
【００１１】
自動車に取り付けるための取り付け用ブラケット１２の位置が決定され、ハウジング１８に所望される配向位置が確認される。これらの位置を固定した後、レンズカバー２６をハウジング１８の前方部分と整列させ、調節用タブ３０を取り付け用ブラケット１２の第２端１６と整列させる。レンズカバー２６を結合材によるなどしてハウジング１８に適宜固定し、次いでランプアセンブリ１０を調節用ネジ３４を使用して取り付け用ブラケット１２に固定する。
【００１２】
レンズカバー２６が、好ましくは光学的に処理した部分を持たず且つ自由回転式のものであることから（レンズには幾分かの光学的処理を施すことができる）、このレンズカバー２６を、中心軸線２０の周囲で取り付け用ブラケットと整列する任意の位置に移動させ得ることが明らかであろう。
かくして、事実上汎用の自動車用ランプアセンブリが提供される。自動車製造者は、自由に自動車を設計し、設計した自動車の好きな場所に取り付け用ブラケットを位置決めしても尚、ランプアセンブリを所望の配光パターンとするために正しく整列させることができる。
以上、本発明を実施例を参照して説明したが、本発明の内で種々の変更をなし得ることを理解されたい。
【図面の簡単な説明】
【００１３】
【図１】本発明の実施例に於けるレンズカバーの平面図である。
【図２】図１を線２−２で切断した断面図である。
【符号の説明】
【００１４】
１０  ランプアセンブリ
１４  第１端部
１６  第２端部
１８  ハウジング
２０  中心軸線
２６  レンズカバー
２８  円周方向リム
３０  調節用タブ
３２  内壁
２４  前方部分
３４  調節用ネジ
３６  溝
３７  孔
【図１】
2004359214.tif 000003
【図２】
2004359214.tif 000004